(57)【要約】【課題】夜間の室外活動の場合にも、気球を発光させることにより、歓楽の雰囲気を盛上げることができる気球用電球を提供する。【解決手段】発光ダイオードを円筒の一端に取付けて、前記円筒を気球の開口部位に挿入して、ゴミリングにより前記円筒を気球の開口部位に固定し、前記円筒の他端に空気を吹き込んで気球を膨張することができ、且つ前記円筒内には電池が取り付けられ、底部にツマミが設けてあるので、前記ツマミを締め付けることにより電池を発光ダイオードに接触させると発光ダイオードが発光する。【選択図】図１
0003107294.tif 000002
【実用新案登録請求の範囲】
【請求項１】
一円筒を有し、前記円筒は、その上端に一電灯が取付けられ、その底部が中空を呈し、前記底部の内周面にはツマミを螺入するための螺旋が設けてあり、前記円筒は、中央には設置される一仕切り片により分けられ、上部が電灯の陰陽極端子を収容し、陰極端子が前記仕切り片を貫通して仕切り片の下に設置される電池の陰極と接触し、陽極端子は、一抵抗と直列接続して前記仕切り片の周縁を貫通して仕切り片の下面の周縁に設置される金属リングと接続し、
前記仕切り片の下に二電池が取り付けられ、上方にある電池を熱可塑性スリーブによって覆って金属製バネにより二電池を緊密に巻い付いて、他の熱可塑性スリーブによって二電池を覆い、前記金属製バネの下端が下方にある電池の金属表面（陽極）を巻い付き、前記金属製バネの上端が金属リングと接続するので、陽極端子が下方にある電池の金属表面と電気的に接続し、陰極端子が上方にある電池の陰極と電気的に接続し、
前記ツマミの上端には一突起が設けてあり、前記ツマミをしっかりと締め付けた後、前記突起が下方にある電池を上へ押すことにより、上方にある電池の陰極が陰極端子と緊密に接触することになり、且つ前記金属バネが金属リングと緊密に接触するので、電球が発光し、
前記ツマミを緩める場合には、金属バネの弾力の付勢が低減し、上方にある電池の陰極が陰極端子と接触しなくなるので、電球が発光しないことを特徴とする、
気球用電球。
【請求項２】
前記仕切り片の前記円筒と接触する周縁には複数の貫通孔が開けてあり、前記仕切り片の本体にも複数の貫通孔が開けてあり、前記ツマミの上端にも複数の貫通孔が開けてあり、使用者が口により前記ツマミの下の中空部位へ空気を吹き込むときには、空気が前記各貫通孔を流通し、また、前記円筒の外周にはゴムシートに覆われるので、空気を吹き込まないときには、ゴムシートが前記円筒の壁面にある貫通孔を気密に覆い、空気を吹き込むときには、空気が前記各貫通孔が経由して吹き出し、前記ゴムシートを押し上げることを特徴とする、請求項１に記載の気球用電球。
【請求項３】
前記電球は発光ダイオードであることを特徴とする、請求項１又は２に記載の気球用電球。
【考案の詳細な説明】
【技術分野】
【０００１】
本考案は気球用電球に係り、特に発光ダイオードを気球に取付けることにより気球を発光させる気球用電球に関するものである。
【背景技術】
【０００２】
目下、一般の気球は、色々な顔色があり、祝祭日や宴会などの活動に歓楽の雰囲気を盛上げるためのものとして最適であるが、夜間の室外活動である場合には、気球が発光できないので、歓楽の雰囲気を盛上げることができない。
【考案の開示】
【考案が解決しようとする課題】
【０００３】
本考案の主な目的は、夜間の室外活動の場合に、気球を発光させることにより、歓楽の雰囲気を盛上げることができる気球用電球を提供する。
【課題を解決するための手段】
【０００４】
上記目的を達成するためになされた本願の考案は、一円筒を有し、前記円筒は、その上端に一電灯が取付けられ、その底部が中空を呈し、前記底部の内周面にはツマミを螺入するための螺旋が設けてあり、前記円筒は、中央には設置される一仕切り片により分けられ、上部が電灯の陰陽極端子を収容し、陰極端子が前記仕切り片を貫通して仕切り片の下に設置される電池の陰極と接触し、陽極端子は、一抵抗と直列接続して前記仕切り片の周縁を貫通して仕切り片の下面の周縁に設置される金属リングと接続し、前記仕切り片の下に二電池が取り付けられ、上方にある電池を熱可塑性スリーブによって覆って金属製バネにより二電池を緊密に巻い付いて、他の熱可塑性スリーブによって二電池を覆い、前記金属製バネの下端が下方にある電池の金属表面（陽極）を巻い付き、前記金属製バネの上端が金属リングと接続するので、陽極端子が下方にある電池の金属表面と電気的に接続し、陰極端子が上方にある電池の陰極と電気的に接続し、前記ツマミの上端には一突起が設けてあり、前記ツマミをしっかりと締め付けた後、前記突起が下方にある電池を上へ押すことにより、上方にある電池の陰極が陰極端子と緊密に接触することになり、且つ前記金属バネが金属リングと緊密に接触するので、電球が発光し、前記ツマミを緩める場合には、金属バネの弾力の付勢が低減し、上方にある電池の陰極が陰極端子と接触しなくなるので、電球が発光しないことを特徴とする気球用電球であることを要旨としている。
【０００５】
本願の考案では、前記仕切り片の前記円筒と接触する周縁には複数の貫通孔が開けてあり、前記仕切り片の本体にも複数の貫通孔が開けてあり、前記ツマミの上端にも複数の貫通孔が開けてあり、使用者が口により前記ツマミの下の中空部位へ空気を吹き込むときには、空気が前記各貫通孔を流通し、また、前記円筒の外周にはゴムシートに覆われるので、空気を吹き込まないときには、ゴムシートが前記円筒の壁面にある貫通孔を気密に覆い、空気を吹き込むときには、空気が前記各貫通孔が経由して吹き出し、前記ゴムシートを押し上げることを特徴とする請求項１に記載の気球用電球であることを要旨としている。
【０００６】
本願の考案では、前記電球は発光ダイオードであることを特徴とする請求項１又は２に記載の気球用電球であることを要旨としている。
【考案の効果】
【０００７】
本考案に係る気球用電球によれば、夜間の室外活動の場合にも、気球を発光させることにより、歓楽の雰囲気を盛上げることができる。
【考案を実施するための最良の形態】
【０００８】
以下、添付図面を参照して本考案の好適な実施の形態を詳細に説明する。
【０００９】
まず、図１を参照する。本考案に係る気球用電球は、一円筒１を有し、前記円筒１は、その上端に一発光ダイオード２が取付けられ、その底部が中空を呈し、前記底部の内周面にはツマミ３を螺入するための螺旋が設けてある。
【００１０】
前記円筒１は、中央には設置される一仕切り片１１（一般には印刷回路板を使用）により分けられ、上部が発光ダイオード２の陰陽極端子を収容し、陰極端子２１が前記仕切り片１１を貫通して仕切り片１１の下に設置される電池の陰極と接触し、陽極端子２２は、一抵抗２３と直列接続して前記仕切り片１１の周縁を貫通して仕切り片１１の下面の周縁に設置される金属リング１１２（又は印刷回路板にある金属回路）と接続する。
【００１１】
前記仕切り片１１の下に二電池１３が取り付けられ、上方にある電池を熱可塑性スリーブ１５によって覆って金属製バネ１２により二電池を緊密に巻い付いて、他の熱可塑性スリーブ１６によって二電池を覆う。前記金属製バネ１２の下端が下方にある電池の金属表面（陽極）を巻い付き、前記金属製バネ１２の上端が金属リング１１２と接続するので、陽極端子２２が下方にある電池の金属表面（陽極）と電気的に接続し、陰極端子２１が上方にある電池の陰極と電気的に接続する。
【００１２】
前記ツマミ３の上端には一突起３１が設けてあり、前記ツマミ３をしっかりと締め付けた後、前記突起３１が下方にある電池を上へ押すことにより、上方にある電池の陰極が陰極端子２１と緊密に接触することになり、且つ前記金属バネ１２が金属リング１１２と緊密に接触するので、電球が発光する。前記ツマミ３を緩める場合には、金属バネ１２の弾力の付勢が低減し、上方にある電池の陰極が陰極端子２１と接触しなくなるので、電球が発光しなくなる。
【００１３】
前記仕切り片１１の前記円筒１と接触する周縁には複数の貫通孔１４が開けてあり、前記仕切り片１１の本体にも複数の貫通孔１１１が開けてあり、前記ツマミ３の上端にも複数の貫通孔３２が開けてある。使用者が口により前記ツマミ３の下の中空部位３３へ空気を吹き込むときには、空気が前記各貫通孔３２，１１１,１４を流通する。
【００１４】
また、前記円筒１の外周にはゴムシート４に覆われるので、空気を吹き込まないときには、ゴムシート４が前記円筒１の壁面にある貫通孔１４を気密に覆い、空気を吹き込むときには、空気が前記各貫通孔３２，１１１,１４が経由して吹き出し、前記ゴムシート４を押し上げる。
【００１５】
また、図２に示すように、気球５の開口部位に前記円筒１を取付けた後、ゴミリングにより前記円筒１を気球５の開口部位に固定して、使用者は口により前記ツマミ３の下の中空部位３３へ空気を吹き込むときには、空気が前記各貫通孔３２，１１１,１４を流通し、前記ゴムシート４を押し上げ、気球５を膨張させる。気球５が所定程度に膨張する場合には、使用者が空気の吹き込みを止め、前記ゴムシート４が前記円筒１の壁面にある貫通孔１４を気密に覆うので、気球５内の空気が漏れない。そうすると、本考案に係る気球用電球が完成する。
【００１６】
前記貫通孔３２，１１１,１４及びゴムシート４を使用しなくてもいい。この場合には、使用者が気球５に空気を吹き込み膨張させて、気球５の開口部位に円筒１を挿入して、ゴミリングにより前記円筒１を気球５の開口部位に固定してもいい。
【００１７】
このように、本考案が、特定の例を参照して説明されたが、それらの例は、説明のためだけのものであり、本考案を限定するものではなく、この分野に通常の常識を有する者には、本考案の精神および範囲を逸脱することなく、ここで開示された実施例に変更、追加、または、削除を施してもよいことがわかる。
【図面の簡単な説明】
【００１８】
【図１】本考案に係る気球用電球の断面概略図である。
【図２】本考案に係る気球用電球の使用状態を示す概略図である。
【符号の説明】
【００１９】
１        円筒                    ２        発光ダイオード
３        ツマミ                  ４        ゴムシート
５        気球                    １１      仕切り片
１２      バネ                    １３      電池
１４      貫通孔                  １５      熱可塑性スリーブ
１６      熱可塑性スリーブ        ２１      陰極端子
２２      陽極端子                ２３      抵抗
３１      突起                    ３２      貫通孔
３３      中空部位                １１１    貫通孔
１１２    金属リング
【図１】
0003107294.tif 000003
【図２】
0003107294.tif 000004